(57)【要約】【課題】消費電力を低減し、表示品位の低下を抑制することが可能な表示装置及び光源装置を提供する。【解決手段】第１波長帯の光を発光する第１発光素子と、第２波長帯の光を発光する第２発光素子と、を有する光源素子と、前記第１発光素子からの光で励起され第３波長帯の光を発光する第１波長変換材料と、前記第２発光素子からの光で励起され第４波長帯の光を発光する第２波長変換材料と、を備え、前記第１発光素子が発光した際に生成されるシアン色の光と、前記第２発光素子が発光した際に生成されるマゼンタ色の光とを同一の発光面から発光する光源装置。【選択図】図５
2017073412.tif 000002
【特許請求の範囲】
【請求項１】
第１波長帯の光を発光する第１発光素子と、第２波長帯の光を発光する第２発光素子と、を有する光源素子と、
前記第１発光素子からの光で励起され第３波長帯の光を発光する第１波長変換材料と、
前記第２発光素子からの光で励起され第４波長帯の光を発光する第２波長変換材料と、を備え、
前記第１発光素子が発光した際に生成されるシアン色の光と、前記第２発光素子が発光した際に生成されるマゼンタ色の光とを同一の発光面から発光する光源装置。
【請求項２】
前記第１波長変換材料及び前記第２波長変換材料は、前記光源素子に封入され、
前記発光面は、前記光源素子の出射面に形成される請求項１に記載の光源装置。
【請求項３】
前記第１波長変換材料及び前記第２波長変換材料を封入したシート部材を備え、
前記発光面は、前記シート部材の主面に形成される請求項１に記載の光源装置。
【請求項４】
前記第１波長変換材料及び前記第２波長変換材料は、蛍光体、又は、量子ドットで形成される請求項１に記載の光源装置。
【請求項５】
前記第１発光素子及び前記第２発光素子が同時に発光した際に生成される白色の光は、前記発光面から発光する請求項１に記載の光源装置。
【請求項６】
前記光源素子は、前記第１発光素子及び前記第２発光素子のそれぞれのアノード及びカソードに電気的に接続された４本の端子を有する請求項１に記載の光源装置。
【請求項７】
前記光源素子は、前記第１発光素子及び前記第２発光素子を電気的に接続する１本の共通端子と、前記第１発光素子及び前記第２発光素子のそれぞれのアノードまたはカソードに電気的に接続された２本の端子を有する請求項１に記載の光源装置。
【請求項８】
前記第２波長帯は、前記第１波長帯とは異なる請求項１に記載の光源装置。
【請求項９】
表示パネルと、
第１波長帯の光を発光する第１発光素子と、第２波長帯の光を発光する第２発光素子と、を有する光源素子と、
前記光源素子と対向する入射面、及び、前記表示パネルと対向する出射面を有する導光板と、
前記第１発光素子からの光で励起され第３波長帯の光を発光する第１波長変換材料と、
前記第２発光素子からの光で励起され第４波長帯の光を発光する第２波長変換材料と、を備え、
前記第１発光素子が発光した際に生成されるシアン色の光と、前記第２発光素子が発光した際に生成されるマゼンタ色の光とを同一の発光面から発光し、前記発光面から発光した光で前記表示パネルを照明する表示装置。
【請求項１０】
前記第１波長変換材料及び前記第２波長変換材料は、前記光源素子に封入され、
前記発光面は、前記光源素子の出射面に形成される請求項９に記載の表示装置。
【請求項１１】
前記第１波長変換材料及び前記第２波長変換材料を封入したシート部材を備え、
前記発光面は、前記シート部材の主面に形成される請求項９に記載の表示装置。
【請求項１２】
前記シート部材は、前記表示パネル及び前記導光板の間に配置される請求項１１に記載の表示装置。
【請求項１３】
前記シート部材は、前記光源素子及び前記導光板の間に配置される請求項１１に記載の表示装置。
【請求項１４】
前記表示パネルは、さらに、黄色のカラーフィルタを備えた第１サブ画素と、
青色のカラーフィルタを備えた第２サブ画素と、を備える請求項９に記載の表示装置。
【請求項１５】
第１波長帯の光を発光する第１発光素子と、第２波長帯の光を発光する第２発光素子と、を有する光源素子と、
前記第１発光素子からの光で励起され第３波長帯の光を発光する第１波長変換材料と、
前記第２発光素子からの光で励起され第４波長帯の光を発光する第２波長変換材料と、を備え、
前記第１発光素子が発光した際に生成される少なくとも前記第３波長帯の光を含む第１色の光と、前記第２発光素子が発光した際に生成される少なくとも前記第４波長帯の光を含む第２色の光とを同一の発光面から発光する光源装置。
【発明の詳細な説明】
【技術分野】
【０００１】
本発明の実施形態は、表示装置及び光源装置に関する。
【背景技術】
【０００２】
近年、携帯端末が普及している。携帯端末は、スマートフォン、パーソナルアシスタントデバイス、あるいはタブレットコンピュータ等を含み、その表示機能も高性能化している。これらの携帯端末は、カラー画像を表示することができる。カラー画像を表示する技術として、フィールドシーケンシャル方式が知られている。この方式では、例えば、１フレーム期間が、赤色を表示する期間、緑色を表示する期間、及び、青色を表示する期間の３つの期間（あるいは、３つのフィールドと称しても良い）に区分されている。そして、３つのフィールドにそれぞれ対応して、赤色表示のために選択された画素、青色表示のために選択された画素、緑色表示のために選択された画素がそれぞれ駆動される。
【０００３】
一方で、液晶表示装置などの表示装置に適用される白色光源の一例としては、青色光を出射する青色発光ダイオードと、紫外光を出射する紫外光発光ダイオードと、紫外光発光ダイオードの下面から出射される紫外光によって励起され赤色光を出射する赤色蛍光体と、紫外光発光ダイオードの上面から出射される紫外光によって励起され緑色光を出射する緑色蛍光体と、を備えた発光装置が知られている。この発光装置では、赤色蛍光体の赤色光と、緑色蛍光体の緑色光と、青色発光ダイオードの青色光との混色のバランスが崩れるのを防ぐために、青色発光ダイオードチップと紫外光発光ダイオードとが電気的に接続されている。白色光を出射することを前提にした当該発光装置においては、青色発光ダイオードチップ及び紫外光発光ダイオードを同時に発光させる必要があり、消費電力の増大を招く恐れがある。
【０００４】
他の光源の一例としては、赤色発光ダイオード、緑色発光ダイオード、及び、青色発光ダイオードを直線状に配置し、２種類以上の発光ダイオードからの光を導光板で混色させる光源も知られているが、導光板における光の入射面付近においては各色の光が十分に混色されず、色むらとして視認されてしまい、表示装置における表示品位の低下を招く恐れがある。
【先行技術文献】
【特許文献】
【０００５】
【特許文献１】特開２０１３−１１５３５３号公報
【発明の概要】
【発明が解決しようとする課題】
【０００６】
本実施形態の目的は、消費電力を低減し、表示品位の低下を抑制することが可能な表示装置及び光源装置を提供することにある。
【課題を解決するための手段】
【０００７】
本実施形態によれば、
第１波長帯の光を発光する第１発光素子と、第２波長帯の光を発光する第２発光素子と、を有する光源素子と、前記第１発光素子からの光で励起され第３波長帯の光を発光する第１波長変換材料と、前記第２発光素子からの光で励起され第４波長帯の光を発光する第２波長変換材料と、を備え、前記第１発光素子が発光した際に生成されるシアン色の光と、前記第２発光素子が発光した際に生成されるマゼンタ色の光とを同一の発光面から発光する光源装置が提供される。
【０００８】
本実施形態によれば、
表示パネルと、第１波長帯の光を発光する第１発光素子と、第２波長帯の光を発光する第２発光素子と、を有する光源素子と、前記光源素子と対向する入射面、及び、前記表示パネルと対向する出射面を有する導光板と、前記第１発光素子からの光で励起され第３波長帯の光を発光する第１波長変換材料と、前記第２光学素子からの光で励起され第４波長帯の光を発光する第２波長変換材料と、を備え、前記第１発光素子が発光した際に生成されるシアン色の光と、前記第２発光素子が発光した際に生成されるマゼンタ色の光とを同一の発光面から発光し、前記発光面から発光した光で前記表示パネルを照明する表示装置が提供される。
【０００９】
本実施形態によれば、
第１波長帯の光を発光する第１発光素子と、第２波長帯の光を発光する第２発光素子と、を有する光源素子と、前記第１発光素子からの光で励起され第３波長帯の光を発光する第１波長変換材料と、前記第２発光素子からの光で励起され第４波長帯の光を発光する第２波長変換材料と、を備え、前記第１発光素子が発光した際に生成される少なくとも前記第３波長帯の光を含む第１色の光と、前記第２発光素子が発光した際に生成される少なくとも前記第４波長帯の光を含む第２色の光とを同一の発光面から発光する光源装置が提供される。
【図面の簡単な説明】
【００１０】
【図１】図１は、表示装置ＬＣＤの構成の一例を示す分解斜視図である。
【図２】図２は、表示パネルＰＮＬの構成及び等価回路の一例を示す図である。
【図３】図３は、黄色のサブ画素及び青色のサブ画素を含む表示パネルの断面図である。
【図４】図４は、図１に示した光源素子ＰＣの構成を示す図である。
【図５】図５は、図４に示した光源素子ＰＣの断面を模式的に示す図である。
【図６】図６は、光源ユニットＬＵの発光色とカラーフィルタの配置の一例を示す図である。
【図７】図７は、バックライトユニットＢＬの発光色と、単位画素に含まれるカラーフィルタＣＦＹ及びＣＦＢを透過した光の色との関係の一例を示す図である。
【図８】図８は、第１発光素子Ｌ１及び第２発光素子Ｌ２の駆動例と、表示装置における色再現との関係を示す図である。
【図９】図９は、光源ユニットＬＵの発光色とカラーフィルタの配置の他の例を示す図である。
【図１０】図１０は、バックライトユニットＢＬの発光色と、単位画素に含まれるカラーフィルタＣＦＹ及びＣＦＢを透過した光の色との関係の他の例を示す図である。
【図１１】図１１は、第１発光素子Ｌ１及び第２発光素子Ｌ２の駆動例と、表示装置における色再現との関係の他の例を示す図である。
【図１２】図１２は、図４に示した光源素子ＰＣの断面の他の例を模式的に示す図である。
【図１３】図１３は、光源素子ＰＣの配置例を示す図である。
【図１４】図１４は、光源ユニットＬＵにおける光源素子ＰＣの他の配置例を示す図である。
【図１５】図１５は、本実施形態に係る他の構成例を示す図である。
【図１６】図１６は、本実施形態に係る他の構成例を示す図である。
【発明を実施するための形態】
【００１１】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１２】
図１は、表示装置ＬＣＤの構成の一例を示す分解斜視図である。ここでは表示装置ＬＣＤが液晶表示装置である場合について説明する。この表示装置は、例えば、スマートフォン、タブレット端末、携帯電話端末、パーソナルコンピュータ、テレビ受像装置、車載装置、ゲーム機器等の種々の装置に用いることができる。
【００１３】
表示装置ＬＣＤは、表示パネルＰＮＬ、両面テープＴＰ、バックライトユニットＢＬ、ベゼルＢＺ等を備えている。バックライトユニットＢＬは、表示パネルＰＮＬの第１基板ＳＵＢ１と対向する側に備えられている。ベゼルＢＺは、表示パネルＰＮＬ、及び、バックライトユニットＢＬを収容している。
【００１４】
表示パネルＰＮＬは、平板状の第１基板ＳＵＢ１と、第１基板ＳＵＢ１に対向する平板状の第２基板ＳＵＢ２と、第１基板ＳＵＢ１及び第２基板ＳＵＢ２の間に保持された図示しない液晶層と、を備えている。第１基板ＳＵＢ１及び第２基板ＳＵＢ２は、これらの間に所定のセルギャップを形成した状態で図示しないシール材によって貼り合わせられている。液晶層は、第１基板ＳＵＢ１及び第２基板ＳＵＢ２と、シール材によって囲まれた内側に封入されている。表示パネルＰＮＬを駆動するのに必要な信号を供給する信号供給源として駆動ＩＣチップ及びフレキシブル・プリンテッド基板ＦＰＣが第１基板ＳＵＢ１に実装されている。
【００１５】
表示パネルＰＮＬは、第１基板ＳＵＢ１及び第２基板ＳＵＢ２が対向する領域に表示領域ＤＡを有している。図示した例では、表示領域ＤＡは長方形状に形成されている。表示パネルＰＮＬは、表示領域ＤＡの外側に矩形枠状の非表示領域ＮＤＡを有している。本実施形態の表示パネルＰＮＬは、バックライトユニットＢＬからの光を選択的に透過させることで画像を表示する透過表示機能を備えた透過型、あるいは、透過表示機能に加えて外光または補助光を選択的に反射させることで画像を表示させる反射表示機能を備えた半透過型である。
【００１６】
図示した例では、バックライトユニットＢＬは、光学シートＯＳ、フレームＦＲ、導光板ＬＧ、光源ユニットＬＵ、反射シートＲＳを備えている。
【００１７】
光学シートＯＳは、光透過性を有しており、表示パネルＰＮＬの第１基板ＳＵＢ１と対向する側に配置されている。光学シートＯＳとしては、拡散シートＯＳＡ、プリズムシートＯＳＢ、プリズムシートＯＳＣ、拡散シートＯＳＤがバックライトユニットＢＬに備えられている。図示した例では、これらの光学シートＯＳは、いずれも長方形状に形成され、表示領域ＤＡに対向している。なお、光学シートＯＳに含まれる拡散シートやプリズムシートの数、積層等の構成は一例であり、図１に示す例に限定されるものではない。
【００１８】
フレームＦＲは、表示パネルＰＮＬとベゼルＢＺの間に配置されている。図示した例では、フレームＦＲは、矩形枠状に形成されており、表示領域ＤＡと対向する領域に長方形状の開口部ＯＰを有している。なお、フレームＦＲの形状は一例であり、図１に示す例に限定されるものではない。また、フレームＦＲが必要ない場合は、設けなくてもよい。
【００１９】
両面テープＴＰは、表示パネルＰＮＬ及びフレームＦＲの間に配置されている。両面テープＴＰは、表示パネルＰＮＬの非表示領域ＮＤＡと対向する位置で、表示パネルＰＮＬ及びフレームＦＲを貼り合わせている。両面テープＴＰは、矩形枠状に形成され、例えば、遮光性を有している。なお、表示パネルＰＮＬ及びフレームＦＲが、両面テープＴＰを用いることなく固定されることができれば、両面テープＴＰは設けなくてもよい。
【００２０】
導光板ＬＧは、フレームＦＲとベゼルＢＺの間に配置されている。導光板ＬＧは、平板状に形成されている。導光板ＬＧは、フレームＦＲと対向する側の主面ＬＧＡと、主面ＬＧＡの反対側の主面ＬＧＢと、主面ＬＧＡ及び主面ＬＧＢを繋ぐ側面ＬＧＣと、を有している。
【００２１】
光源ユニットＬＵは、導光板ＬＧの側面ＬＧＣに沿って配置されている。光源ユニットＬＵは、複数の光源素子ＰＣ、光源素子ＰＣが実装されるフレキシブル回路基板ＬＦＰＣなどを備えている。光源素子ＰＣは、後述する複数の発光素子をパッケージ化したものであり、導光板ＬＧの側面ＬＧＣに対向する出射面を有している。ここでは、光源素子ＰＣは、導光板ＬＧの短辺に平行な側面ＬＧＣに沿って並んで配置されているが、導光板ＬＧの長辺に平行な側面に沿って並んで配置されていてもよい。
【００２２】
反射シートＲＳは、光反射性を有しており、導光板ＬＧとベゼルＢＺの間に配置されている。図示した例では、反射シートＲＳは、長方形状に形成され、主面ＬＧＢに対向している。
【００２３】
本実施形態において、表示パネルＰＮＬを照明する光源装置は、透過型の表示パネルＰＮＬと組み合わされるバックライトユニットであるが、反射表機能を備えた反射型の表示パネルＰＮＬと組み合わされるフロントライトユニットであっても良い。また、導光板ＬＧについて、光源素子ＰＣと対向する側面ＬＧＣは入射面に相当し、表示パネルＰＮＬと対向する主面ＬＧＡは出射面に相当する。
【００２４】
図２は、表示パネルＰＮＬの構成及び等価回路の一例を示す図である。  
表示装置ＬＣＤは、アクティブマトリクスタイプの表示パネルＰＮＬを備えている。表示領域ＤＡは、マトリクス状に配置された複数のサブ画素ＰＸによって構成されている。表示領域ＤＡにおいて、第１方向Ｘに並んだサブ画素ＰＸは「行」を形成し、第２方向Ｙに並んだ副画素は「列」を形成する。
【００２５】
なお、本明細書では、１つのサブ画素ＰＸは、１つのカラーフィルタを含んで構成され、単色を表現する。カラー画像を表示するための最小単位である単位画素は、異なる色のカラーフィルタを備えた複数のサブ画素を組み合わせて構成される。単位画素は、例えば、黄色、青色のそれぞれのカラーフィルタを備えるサブ画素を組み合わせる構成や、黄色、青色、白色のそれぞれのカラーフィルタを備えるサブ画素を組み合わせる構成などがある。
【００２６】
第１基板ＳＵＢ１は、表示領域ＤＡにおいて、第２方向Ｙに並んだ複数のゲート配線Ｇ（Ｇ１〜Ｇｎ）、第１方向Ｘに並んだ複数のソース配線Ｓ（Ｓ１〜Ｓｍ）、各サブ画素ＰＸにおいてゲート配線Ｇ及びソース配線Ｓと電気的に接続されたスイッチング素子ＳＷ、各サブ画素ＰＸにおいてスイッチング素子ＳＷと電気的に接続された画素電極ＰＥなどを備えている。共通電極ＣＥは、第１基板ＳＵＢ１及び第２基板ＳＵＢ２の少なくとも一方に備えられている。共通電極ＣＥは、表示領域ＤＡの全域に亘って配置され、複数のサブ画素ＰＸに対して共通に形成されている。共通電極ＣＥは、非表示領域ＮＤＡに引き出され給電部Ｖｃｏｍに接続されている。給電部Ｖｃｏｍには、一定の共通電圧が供給される。蓄積容量ＣＳは、例えば、共通電極ＣＥと画素電極ＰＥとの間に形成される。
【００２７】
なお、表示パネルＰＮＬの詳細な構成については説明を省略するが、ＴＮ（Twisted Nematic）モード、ＰＤＬＣ（Polymer Dispersed Liquid Crystal）モード、ＯＣＢ（Optically Compensated Bend）モード、ＥＣＢ（Electrically Controlled Birefringence）モード、或いはＶＡ（Vertical Aligned）モードなどの基板主面の法線に沿った縦電界を利用するモード、あるいは、基板主面に対して斜め方向に傾斜した傾斜電界を利用する表示モードでは、画素電極ＰＥが第１基板ＳＵＢ１に備えられる一方で、共通電極ＣＥが第２基板ＳＵＢ２に備えられている。また、ＩＰＳ（In-Plane Switching）モード、ＩＰＳモードの１つであるＦＦＳ（Fringe Field Switching）モードなどの基板主面に沿った横電界を利用するモードでは、画素電極ＰＥ及び共通電極ＣＥの双方が第１基板ＳＵＢ１に備えられている。さらには、表示パネルＰＮＬは、上記の縦電界、横電界、及び、傾斜電界を適宜組み合わせて利用する表示モードに対応した構成を有していても良い。
【００２８】
各ゲート配線Ｇは、表示領域ＤＡの外側に引き出され、ゲートドライバＧＤに接続されている。各ソース配線Ｓは、表示領域ＤＡの外側に引き出され、ソースドライバＳＤに接続されている。ゲートドライバＧＤ及びソースドライバＳＤは、例えばその少なくとも一部が第１基板ＳＵＢ１上に形成され、駆動ＩＣチップＣＰと電気的に接続されている。
【００２９】
駆動ＩＣチップＣＰは、ゲートドライバＧＤ及びソースドライバＳＤを制御するコントローラを内蔵し、表示パネルＰＮＬを駆動するのに必要な信号を供給する信号供給源として機能する。図示した例では、駆動ＩＣチップＣＰは、表示パネルＰＮＬの非表示領域ＮＤＡにおいて、第１基板ＳＵＢ１上に実装されている。
【００３０】
複数のサブ画素ＰＸには、カラーフィルタが所定の規則で配列されている。本実施形態において、例えば、同列に形成されているサブ画素ＰＸの第１方向Ｘに沿った幅は等しく、また、同列に形成されているサブ画素ＰＸは同色のカラーフィルタを備えている。ここでは、ソース配線Ｓ１及びソース配線Ｓ２の間の第１列に配置されたサブ画素ＰＸは、黄色のカラーフィルタを備えている。ソース配線Ｓ２及びソース配線Ｓ３の間の第２列に配置されたサブ画素ＰＸは、青色のカラーフィルタを備えている。黄色のサブ画素（第１サブ画素）ＰＸで形成された列と、青色のサブ画素（第２サブ画素）ＰＸで形成された列が、１列おきに交互に繰り返されている。さらに、黄色のカラーフィルタの幅Ｈ１は、青色のカラーフィルタの幅Ｈ２より大きく形成されている。なお、各サブ画素ＰＸの第２方向Ｙに沿った長さはほぼ同一である。つまり、各サブ画素ＰＸにおいて実質的に表示に寄与する面積は、第２サブ画素よりも第１サブ画素の方が大きい。
【００３１】
光源ユニットＬＵは、第１方向Ｘに延出したフレキシブル回路基板ＬＦＰＣの上に複数の光源素子ＰＣを備えている。複数の光源素子ＰＣは、第１方向Ｘに沿ってそれぞれ間隔をおいて一列に配置されている。光源素子ＰＣは、第１発光素子Ｌ１及び第２発光素子Ｌ２を備えている。各光源素子ＰＣにおいて、第１発光素子Ｌ１及び第２発光素子Ｌ２は、例えば第１方向Ｘに並んでいる。
【００３２】
図３は、黄色のサブ画素及び青色のサブ画素を含む表示パネルの断面図である。ここでは、表示モードの一例としてＦＦＳモードを適用した構成の主要部について説明する。以下、黄色のサブ画素を第１サブ画素ＰＸ１と称し、青色のサブ画素を第２サブ画素ＰＸ２と称する。
【００３３】
第１基板ＳＵＢ１は、ガラス基板や樹脂基板などの透明な第１絶縁基板１０を用いて形成されている。第１基板ＳＵＢ１は、第１絶縁基板１０の第２基板ＳＵＢ２と対向する側に、共通電極ＣＥ、画素電極ＰＥ１及びＰＥ２、第１絶縁膜１１、第２絶縁膜１２、第１配向膜ＡＬ１などを備えている。共通電極ＣＥは、第１絶縁膜１１の上に形成され、第１サブ画素ＰＸ１及び第２サブ画素ＰＸ２に亘って延在している。第２絶縁膜１２は、共通電極ＣＥを覆っている。なお、図示しないゲート配線やソース配線、スイッチング素子などは、第１絶縁基板１０と第１絶縁膜１１との間に形成されている。第１サブ画素ＰＸ１の画素電極ＰＥ１、及び、第２サブ画素ＰＸ２の画素電極ＰＥ２のそれぞれは、第２絶縁膜１２の上に形成され、いずれも共通電極ＣＥと対向している。画素電極ＰＥ１及びＰＥ２は、共通電極ＣＥと対向する位置に、それぞれスリットＳＬＡを有している。画素電極ＰＥ１及びＰＥ２は、第１配向膜ＡＬ１によって覆われている。共通電極ＣＥ、画素電極ＰＥ１及びＰＥ２は、例えば、インジウム錫酸化物やインジウム亜鉛酸化物などの透明な導電材料によって形成されている。なお、図３に示す構成では、画素電極ＰＥが共通電極ＣＥ上に形成される、ＦＦＳモードの表示パネルＰＮＬについて例示されているが、これに限定されない。共通電極ＣＥが画素電極ＰＥ上に形成されるＦＦＳモードを用いてもよい。また、本実施形態は、上述のように、ＦＦＳモードやＩＰＳモードのような横電界式だけでなく、縦電界式の表示パネルに適用可能である。
【００３４】
第２基板ＳＵＢ２は、ガラス基板や樹脂基板などの透明な第２絶縁基板２０を用いて形成されている。第２基板ＳＵＢ２は、第２絶縁基板２０の第１基板ＳＵＢ１と対向する側に、遮光層ＢＭ、カラーフィルタＣＦＹ及びＣＦＢ、オーバーコート層ＯＣ、第２配向膜ＡＬ２などを備えている。遮光層ＢＭは、第２絶縁基板２０の第１基板ＳＵＢ１と対向する内面に形成されている。遮光層ＢＭは、黒色の樹脂材料や、遮光性の金属材料によって形成されている。カラーフィルタＣＦＹ及びＣＦＢのそれぞれは、第２絶縁基板２０の内面に形成され、それぞれの一部が遮光層ＢＭに重なっている。カラーフィルタＣＦＹ及びＣＦＢは、それぞれ液晶層ＬＱを挟んで画素電極ＰＥ１及びＰＥ２と対向している。カラーフィルタＣＦＹは、黄色（Ｙ）のカラーフィルタであり、黄色に着色された樹脂材料によって形成されている。カラーフィルタＣＦＢは、青色（Ｂ）のカラーフィルタであり、青色に着色された樹脂材料によって形成されている。オーバーコート層ＯＣは、カラーフィルタＣＦＹ及びＣＦＢを覆っている。オーバーコート層ＯＣは、透明な樹脂材料によって形成されている。オーバーコート層ＯＣは、第２配向膜ＡＬ２によって覆われている。第１配向膜ＡＬ１及び第２配向膜ＡＬ２は、水平配向性を示す材料によって形成されている。
【００３５】
第１基板ＳＵＢ１と第２基板ＳＵＢ２とは、所定のセルギャップが形成された状態で貼り合わせられている。液晶層ＬＱは、第１配向膜ＡＬ１と第２配向膜ＡＬ２との間に封入されている。
【００３６】
第１偏光板ＰＬ１を含む第１光学素子ＯＤ１は、第１基板ＳＵＢ１の外面に配置されている。第２偏光板ＰＬ２を含む第２光学素子ＯＤ２は、第２基板ＳＵＢ２の外面に配置されている。
【００３７】
なお、図示した例では、カラーフィルタＣＦＹ及びＣＦＢは、第２基板ＳＵＢ２に形成されたが、第１基板ＳＵＢ１に形成されても良い。一例では、カラーフィルタＣＦＹ及びＣＦＢは、第１絶縁膜１１と置換されても良いし、第１絶縁基板１０と第１絶縁膜１１との間に配置されても良い。
【００３８】
図４は、図１に示した光源素子ＰＣの構成を示す図である。  
図示した例では、光源素子ＰＣは、本体ＢＸの中に、第１発光素子Ｌ１及び第２発光素子Ｌ２を備えている。図示した例では、本体ＢＸは、長方体状に形成されている。光源素子ＰＣは、図１に示した導光板ＬＧの側面ＬＧＣに対向する側Ｂに、単一の出射面Ａを有している。第１発光素子Ｌ１及び第２発光素子Ｌ２は、例えば発光ダイオードである。第１発光素子Ｌ１及び第２発光素子Ｌ２からそれぞれ発光された光は、出射面Ａから出射される。
【００３９】
なお、図示した例では、光源素子ＰＣは、２つの発光素子を備えているが、３つ以上の発光素子を備えていても良く、いずれの場合においても出射面Ａは単一である。
【００４０】
図５は、図４に示した光源素子ＰＣの断面を模式的に示す図である。図５は、図４の線Ｖ１−Ｖ２で切った断面である。
【００４１】
光源素子ＰＣは、リードフレームＬＦ、第１発光素子Ｌ１、第２発光素子Ｌ２、第１波長変換材料ＥＭ１及び第２波長変換材料ＥＭ２を含有した透明な樹脂ＲＥを備えている。また、図示した例では、光源素子ＰＣは、４本の端子Ｔ１乃至Ｔ４を備えている。
【００４２】
第１発光素子Ｌ１は、ワイヤＷＲ１を介して端子Ｔ１及びＴ２にそれぞれ電気的に接続されている。第２発光素子Ｌ２は、ワイヤＷＲ２を介して端子Ｔ３及びＴ４にそれぞれ電気的に接続されている。端子Ｔ１及びＴ２は、それぞれ第１発光素子Ｌ１のアノード及びカソードに電気的に接続されている。端子Ｔ３及びＴ４は、それぞれ第２発光素子Ｌ２のアノード及びカソードに電気的に接続されている。各光源素子ＰＣの４つの端子Ｔ１乃至Ｔ４は、図１に示したフレキシブル回路基板ＬＦＰＣに形成された４本のバスラインにそれぞれ接続される。このため、第１発光素子Ｌ１及び第２発光素子Ｌ２は、光源素子ＰＣ内でそれぞれ独立して発光することができる。
【００４３】
第１発光素子Ｌ１は、第１波長帯の光を発光する。第２発光素子Ｌ２は、第２波長帯の光を発光する。なお、ここでは、例えば、第１波長帯と第２波長帯とは、それぞれ異なる波長帯である。一例では、第１波長帯及び第２波長帯は、それぞれ青色波長帯や紫外波長帯などである。また、第１波長帯と第２波長帯とは同一の波長帯であってもよい。この場合、一例では、第１波長帯及び第２波長帯は、共に青色波長帯であってもよいし、共に紫外波長帯などであってもよい。
【００４４】
第１波長変換材料ＥＭ１は、第１発光素子Ｌ１から発光される第１波長帯の光によって励起され、第３波長帯の光を発光する。第２波長変換材料ＥＭ２は、第２発光素子Ｌ２から発光される第２波長帯の光によって励起され、第３波長帯とは異なる第４波長帯の光を発光する。第１波長変換材料ＥＭ１及び第２波長変換材料ＥＭ２は、樹脂ＲＥに含有され、光源素子ＰＣに封入されている。樹脂ＲＥは、例えば、エポキシやシリコーンなどの透光性樹脂である。第１波長変換材料ＥＭ１及び第２波長変換材料ＥＭ２を含有した樹脂ＲＥは、第１発光素子Ｌ１及び第２発光素子Ｌ２と、出射面Ａとの間に延在している。このため、第１発光素子Ｌ１が発光した際に、第１発光素子Ｌ１と対向する位置のみならず、第２発光素子Ｌ２と対向する位置の第１波長変換材料ＥＭ１が励起され、出射面Ａの全面から少なくとも第３波長帯の光を含む第１色の光が発光される。同様に、第２発光素子Ｌ２が発光した際に、第２発光素子Ｌ２と対向する位置のみならず、第１発光素子Ｌ１と対向する位置の第２波長変換材料ＥＭ２が励起され、出射面Ａの全面から少なくとも第４波長帯の光を含む第２色の光が発光される。つまり、光源素子ＰＣは、第１色の光と、第２色の光とを同一の発光面である出射面Ａから発光する。
【００４５】
第３波長帯及び第４波長帯は、いずれも第１波長帯及び第２波長帯よりも長波長の波長帯である。一例では、第３波長帯及び第４波長帯は、緑色波長帯及び赤色波長帯である。第１波長変換材料ＥＭ１及び第２波長変換材料ＥＭ２は、例えば蛍光体によって形成されている。例えば、赤色波長帯の光を発光する波長変換材料が赤色蛍光体である場合、その具体的な材料としては、Ｍ２Ｏ２Ｓ：Ｅｕ（但し、ＭはＬａ、Ｇｄ、Ｙから選ばれる何れか１つ又は２つ以上の元素）、０．５ＭｇＦ２・３．５ＭｇＯ・ＧｅＯ２：Ｍｎ、Ｙ２Ｏ３：Ｅｕ、Ｙ（Ｐ、Ｖ）Ｏ４：Ｅｕ、ＹＶＯ４：Ｅｕで表される蛍光体の群のうち、何れか１つ又は２つ以上から形成される。
【００４６】
例えば、緑色波長帯の光を発光する波長変換材料が緑色蛍光体である場合、その具体的な材料としては、ＲＭｇ２ＡＬ１６Ｏ２７：Ｅｕ、Ｍｎ（但し、ＲはＳｒ、Ｂａから選ばれるいずれか１つまたは両方の元素）、ＲＭｇＡｌ１０Ｏ１７：Ｅｕ、Ｍｎ（但し、ＲはＳｒ、Ｂａから選ばれるいずれか１つ又は両方の元素）、ＺｎＳ：Ｃｕ、ＳｒＡｌ２Ｏ４：Ｅｕ、ＳｒＡｌ２Ｏ４：Ｅｕ、Ｄｙ、ＺｎＯ：Ｚｎ、Ｚｎ２Ｇｅ２Ｏ４：Ｍｎ、Ｚｎ２ＳｉＯ４：Ｍｎ、Ｑ３ＭｇＳｉ２Ｏ８：Ｅｕ、Ｍｎ（但しＱはＳｒ、Ｂａ、Ｃａから選ばれるいずれか１つ又は２つ以上の元素）で表される蛍光体群のうち、何れか１つ又は２つ以上から形成される。
【００４７】
なお、第１波長変換材料ＥＭ１及び第２波長変換材料ＥＭ２は、量子ドットによって形成することも可能である。また、光源素子ＰＣは、第１波長変換材料ＥＭ１及び第２波長変換材料ＥＭ２に加えて、第３波長帯及び第４波長帯とは異なる第５波長帯の光を発光する第３波長変換材料を備えていても良い。
【００４８】
本実施形態では、例えば、光源素子ＰＣは、第１発光素子Ｌ１が発光した際に、第１色としてシアン色の光を生成し、また、第２発光素子Ｌ２が発光した際に、第２色としてマゼンタ色の光を生成する。また、光源素子ＰＣは、第１発光素子Ｌ１及び第２発光素子Ｌ２が同時に発光した際に、白色の光を生成することも可能であり、白色の光も発光面である出射面Ａから発光する。なお、第１色及び第２色の組み合わせについては、上記の例に限らない。また、第１色及び第２色は、発光素子から発光された光の色と、波長変換材料から発光された光の色とを組み合わせて形成しても良いし、複数の波長変換材料から発光されたそれぞれの光の色を組み合わせて形成しても良い。
【００４９】
図６は、光源ユニットＬＵの発光色とカラーフィルタの配置の一例を示す図である。図６ではカラーフィルタの配置を分かり易くするために、第１基板ＳＵＢ１側のソース配線などの構成を省略して示している。
【００５０】
幅Ｈ２で形成された青色のカラーフィルタと、幅Ｈ１で形成された黄色のカラーフィルタとが第１方向Ｘに繰り返し配列されている。本実施形態の表示装置は、フィールドシーケンシャル方式で駆動される。ここで、図６において、光源ユニットＬＵは、第１発光素子Ｌ１が発光した際に、第１色としてシアン色の光を発光し、第２発光素子Ｌ２が発光した際に、第２色としてマゼンタ色の光を発光する。第１発光素子Ｌ１は例えば１フレームの前半の1/2期間にオン（点灯）し、後半の1/2期間にオフ（消灯）する。一方、第２発光素子Ｌ２は、１フレームの前半の1/2期間にオフ（消灯）し、後半の1/2期間にオン（点灯）するように駆動される。
【００５１】
図１にも示したように、光源素子ＰＣは、導光板ＬＧの短辺に平行に一列に並んで配置されている。光源素子ＰＣから出射した光は、導光板ＬＧに入射する。これにより導光板ＬＧから出射した光は、光透過状態の画素を透過する。ここで、本実施形態の表示装置の駆動方式はフィールドシーケンシャル方式であるため、シアン色とマゼンタ色が周期的に繰り返して発光される。
【００５２】
図７は、バックライトユニットＢＬの発光色と、単位画素に含まれるカラーフィルタＣＦＹ及びＣＦＢを透過した光の色との関係の一例を示す図である。図示した例は、カラー画像を表示する１フレーム期間がシアンフィールドＣｙ及びマゼンタフィールドＭａの２フィールドを有する場合を示している。シアンフィールドＣｙ及びマゼンタフィールドＭａは、それぞれ１／２フレーム期間に相当する。
【００５３】
バックライトユニットＢＬは、シアンフィールドＣｙにおいてシアン色に発光し、マゼンタフィールドＭａにおいてマゼンタ色に発光する。シアンフィールドＣｙでは、カラーフィルタＣＦＹを備えた黄色の第１サブ画素ＰＸ１は緑色を表示し、カラーフィルタＣＦＢを備えた青色の第２サブ画素ＰＸ２は青色を表示する。マゼンタフィールドＭａでは、第１サブ画素ＰＸ１は赤色を表示し、第２サブ画素ＰＸ２は青色を表示する。つまり、青色はシアンフィールドＣｙ及びマゼンタフィールドＭａの何れでも表示可能であり、赤色はマゼンタフィールドＭａで表示可能であり、緑色はシアンフィールドＣｙで表示可能である。このことから、青色の発光強度は、赤色や緑色の発光強度に比べて強くなる傾向がある。
【００５４】
このため、本実施形態では、黄色の第１サブ画素ＰＸ１の面積は、青色の第２サブ画素ＰＸ２の面積よりも大きく形成されている。したがって、１フレーム期間において、青色の発光強度と、緑色の発光強度と、赤色の発光強度が略等しくなっている。
【００５５】
なお、良好なホワイトバランスを得るためには、青色の発光強度と、緑色の発光強度と、赤色の発光強度が必ずしも等しいとは限らない。色度図上で目標とするホワイトの色度を得るためには、各色のカラーフィルタの透過率や色味などの特性を考慮した上で、青色、緑色、赤色の発光強度を設定する、あるいは、第１サブ画素ＰＸ１及び第２サブ画素ＰＸ２の面積を設定することが望ましい。
【００５６】
図８は、第１発光素子Ｌ１及び第２発光素子Ｌ２の駆動例と、表示装置における色再現との関係を示す図である。
【００５７】
シアンフィールドＣｙでは、第１発光素子Ｌ１がオン（点灯）し、第２発光素子Ｌ２がオフ（消灯）している。これにより、バックライトユニットＢＬは、シアン色の光を発光する。このとき、カラーフィルタＣＦＹを透過した透過光は緑色光Ｇ１となり、カラーフィルタＣＦＢを透過した透過光は青色光Ｂ１となる。図示した例では、青色光Ｂ１の発光強度は、緑色光Ｇ１の発光強度の約半分である。
【００５８】
マゼンタフィールドＭａでは、第２発光素子Ｌ２がオン（点灯）し、第１発光素子Ｌ１がオフ（消灯）している。これにより、バックライトユニットＢＬは、マゼンタ色の光を発光する。このとき、カラーフィルタＣＦＹを透過した透過光は赤色光Ｒ２となり、カラーフィルタＣＦＢを透過した透過光は青色光Ｂ２となる。図示した例では、青色光Ｂ２の発光強度は、赤色光Ｒ２の発光強度の約半分である。
【００５９】
つまり、１フレーム期間においては、青色光Ｂ１及びＢ２、緑色光Ｇ１、赤色光Ｒ２のそれぞれの光が視認される。
【００６０】
なお、ここでは、１フレーム期間が２フィールドである場合について説明したが、以下に１フレーム期間が３フィールドである場合について説明する。
【００６１】
図９は、光源ユニットＬＵの発光色とカラーフィルタの配置の他の例を示す図である。図９に示した例は、図６に示した例と比較して、光源ユニットＬＵが１フレームにシアン、ホワイト、マゼンタのそれぞれの色に周期的に発光する点で相違している。すなわち、光源ユニットＬＵは、第１発光素子Ｌ１が発光した際にシアン色の光を発光し、第２発光素子Ｌ２が発光した際にマゼンタ色の光を発光し、第１発光素子Ｌ１及び第２発光素子Ｌ２が同時に発光した際にホワイトの光を発光する。
【００６２】
図１０は、バックライトユニットＢＬの発光色と、単位画素に含まれるカラーフィルタＣＦＹ及びＣＦＢを透過した光の色との関係の他の例を示す図である。図示した例は、カラー画像を表示する１フレーム期間がシアンフィールドＣｙ、ホワイトフィールドＷ、及び、マゼンタフィールドＭａの３フィールドを有する場合を示している。シアンフィールドＣｙ、ホワイトフィールドＷ、及び、マゼンタフィールドＭａは、それぞれ１／３フレーム期間に相当する。
【００６３】
バックライトユニットＢＬは、シアンフィールドＣｙにおいてシアン色に発光し、ホワイトフィールドＷにおいて白色に発光し、マゼンタフィールドＭａにおいてマゼンタ色に発光する。シアンフィールドＣｙでは、カラーフィルタＣＦＹを備えた黄色の第１サブ画素ＰＸ１は緑色を表示し、カラーフィルタＣＦＢを備えた青色の第２サブ画素ＰＸ２は青色を表示する。ホワイトフィールドＷでは、第１サブ画素ＰＸ１は赤色と緑色との混色である黄色を表示し、第２サブ画素ＰＸ２は青色を表示する。マゼンタフィールドＭａでは、第１サブ画素ＰＸ１は赤色を表示し、第２サブ画素ＰＸ２は青色を表示する。つまり、青色はシアンフィールドＣｙ、ホワイトフィールドＷ、マゼンタフィールドＭａの何れでも表示可能であり、赤色はホワイトフィールドＷ及びマゼンタフィールドＭａで表示可能であり、緑色はホワイトフィールドＷ及びシアンフィールドＣｙで表示可能である。図７に示した例と同様に、黄色の第１サブ画素ＰＸ１の面積は、青色の第２サブ画素ＰＸ２の面積よりも大きく形成されているため、１フレーム期間において、青色の発光強度と、緑色の発光強度と、赤色の発光強度が略等しくなっている。
【００６４】
図１１は、第１発光素子Ｌ１及び第２発光素子Ｌ２の駆動例と、表示装置における色再現との関係の他の例を示す図である。第１発光素子Ｌ１は例えば１フレームの前半の２／３期間にオン（点灯）し、後半の１／３期間にオフ（消灯）する。一方、第２発光素子Ｌ２は、１フレームの前半の１／３期間にオフ（消灯）し、後半の２／３期間にオン（点灯）するように駆動される。
【００６５】
シアンフィールドＣｙでは、第１発光素子Ｌ１がオン（点灯）し、第２発光素子Ｌ２がオフ（消灯）している。これにより、バックライトユニットＢＬは、シアン色の光を発光する。このとき、カラーフィルタＣＦＹを透過した透過光は緑色光Ｇ１となり、カラーフィルタＣＦＢを透過した透過光は青色光Ｂ１となる。図示した例では、青色光Ｂ１の発光強度は、緑色光Ｇ１の発光強度の約半分である。
【００６６】
ホワイトフィールドＷでは、第１発光素子Ｌ１及び第２発光素子Ｌ２がいずれもオン（点灯）している。これにより、バックライトユニットＢＬは、白色の光を発光する。このとき、カラーフィルタＣＦＹを透過した透過光は緑色光Ｇ２及び赤色光Ｒ２となり、カラーフィルタＣＦＢを透過した透過光は青色光Ｂ２となる。図示した例では、青色光Ｂ２、緑色光Ｇ２、赤色光Ｒ２の発光強度はいずれもほぼ同等である。
【００６７】
マゼンタフィールドＭａでは、第２発光素子Ｌ２がオン（点灯）し、第１発光素子Ｌ１がオフ（消灯）している。これにより、バックライトユニットＢＬは、マゼンタ色の光を発光する。このとき、カラーフィルタＣＦＹを透過した透過光は赤色光Ｒ３となり、カラーフィルタＣＦＢを透過した透過光は青色光Ｂ３となる。図示した例では、青色光Ｂ３の発光強度は、赤色光Ｒ３の発光強度の約半分である。
【００６８】
つまり、１フレーム期間においては、青色光Ｂ１乃至Ｂ３、緑色光Ｇ１及びＧ２、赤色光Ｒ２及びＲ３のそれぞれの光が視認される。
【００６９】
なお、ここでは、１フレーム期間が２フィールド及び３フィールドである場合について説明したが、４フィールド以上であっても良い。また、３フィールドを構成する色の組み合わせは、上記の例に限らない。
【００７０】
本実施形態によれば、第１発光素子Ｌ１及び第２発光素子Ｌ２を有する光源素子ＰＣと、第１波長変換材料ＥＭ１及び第２波長変換材料ＥＭ２とを備えており、第１発光素子Ｌ１が発光した際に生成されるシアン色の光と、第２発光素子Ｌ２が発光した際に生成されるマゼンタ色の光は同一の発光面（上記の例では、光源素子ＰＣの出射面Ａ）から発光される。このため、シアン色に発光する点光源と、マゼンタ色に発光する点光源とを個別に配置した場合と比較して、光源素子ＰＣにより近い位置でシアン色の光とマゼンタ色の光とが混ざり、混色むらの発生を抑制することができる。
【００７１】
また、光源素子ＰＣと対向する導光板ＬＧの入射面（上記の例では側面ＬＧＣ）に近い位置で混色むらの発生を抑制することができる。このため、導光板ＬＧの入射面に近い位置まで、表示パネルＰＮＬを照明する有効領域として利用することができる。また、この有効領域と表示パネルＰＮＬの表示領域ＤＡとが対向した際に、表示領域ＤＡにおける色むらの発生を抑制することができ、表示品位の低下を抑制することが可能となる。
【００７２】
さらに、光源素子ＰＣは、混色むらを発生することなく、導光板ＬＧと接近した位置に配置することが可能となる。このため、光源素子ＰＣからの光を効率良く導光板ＬＧに導入することができ、光の利用効率を向上することができる。また、光源素子ＰＣと導光板ＬＧとの間の距離を短縮できるため、表示装置の狭額縁化が可能となる。
【００７３】
また、本実施形態によれば、フィールドシーケンシャル方式を適用し、シアン色の光で表示パネルＰＮＬを照明するフィールドでは光源素子の一方の発光素子が点灯し、マゼンタ色の光で表示パネルＰＮＬを照明するフィールドでは光源素子の他方の発光素子が点灯する。換言すると、１フレーム期間において、光源素子の２つの発光素子が常に点灯しているわけではない。このため、消費電力を低減することが可能となる。
【００７４】
次に、本実施形態の変形例について説明する。
図１２は、図４に示した光源素子ＰＣの断面の他の例を模式的に示す図である。図１２に示した例は、図５に示した例と比較して、光源素子ＰＣが３本の端子Ｔ１１乃至Ｔ１３を備えている点で相違している。
【００７５】
第１発光素子Ｌ１は、ワイヤＷＲ１を介して端子Ｔ１１及びＴ１２にそれぞれ電気的に接続されている。第２発光素子Ｌ２は、ワイヤＷＲ２を介して端子Ｔ１１及びＴ１３にそれぞれ電気的に接続されている。端子Ｔ１１は、第１発光素子Ｌ１及び第２発光素子Ｌ２を電気的に接続する１本の共通端子である。一例では、端子Ｔ１１は、第１発光素子Ｌ１及び第２発光素子Ｌ２のそれぞれのアノードと電気的に接続されている。端子Ｔ１２は第１発光素子Ｌ１のカソードと電気的に接続され、端子Ｔ１３は第２発光素子Ｌ２のカソードに電気的に接続されている。なお、端子Ｔ１１は、第１発光素子Ｌ１及び第２発光素子Ｌ２のそれぞれのカソードと電気的に接続されてもよく、この場合、端子Ｔ１２及びＴ１３はそれぞれ第１発光素子Ｌ１及び第２発光素子Ｌ２のアノードに電気的に接続される。
【００７６】
このような変形例においても、上記した例と同様に、第１発光素子Ｌ１及び第２発光素子Ｌ２をそれぞれ独立して発光させることができる。加えて、図５に示した例のように光源素子ＰＣが４本の端子を有する場合と比較して、フレキシブル回路基板ＬＦＰＣに形成されるバスラインの本数を３本に削減することができる。このため、フレキシブル回路基板ＬＦＰＣの基板サイズを縮小することが可能となる。
【００７７】
図１３は、光源素子ＰＣの配置例を示す図である。ここで、第３方向Ｚは、第１方向Ｘ及び第２方向Ｙに垂直な方向である。
【００７８】
複数の光源素子ＰＣは、フレキシブル回路基板ＬＦＰＣ上において第１方向Ｘに沿って一列に並んで実装されている。出射面Ａは、第１方向Ｘに延出した長方形状に形成されている。各光源素子ＰＣにおいて、第１発光素子Ｌ１及び第２発光素子Ｌ２は、互いに第１方向Ｘに沿った方向に隣り合っている。フレキシブル回路基板ＬＦＰＣに実装される光源素子ＰＣの数や、隣り合う光源素子ＰＣの間隔は、所望される発光強度に応じて、適宜変更することが可能である。
【００７９】
それぞれの光源素子ＰＣに備えられた第１発光素子Ｌ１は、互いに直列に接続されている。また、それぞれの光源素子ＰＣに備えられた第２発光素子Ｌ２は、互いに直列に接続されている。つまり、同色の発光ダイオードが同時に発光するように接続されている。
【００８０】
図１４は、光源ユニットＬＵにおける光源素子ＰＣの他の配置例を示す図である。図１４に示した配置例は、図１３に示した配置例と比較すると、各光源素子ＰＣの第１発光素子Ｌ１及び第２発光素子Ｌ２が第３方向Ｚに並ぶように配置された点で相違している。
【００８１】
このような配置例においては、第１発光素子Ｌ１及び第２発光素子Ｌ２は、Ｘ−Ｙ平面において同一の位置で発光する。このため、第１発光素子Ｌ１が発光した時の色と、第２発光素子Ｌ２が発光した時の色との混色むらをさらに抑制することが可能となる。
【００８２】
図１５は、本実施形態に係る他の構成例を示す図である。図１５に示した例では、表示装置ＬＣＤは、光源素子ＰＣ、導光板ＬＧ、シート部材ＳＨ、及び、表示パネルＰＮＬを備えている。光源素子ＰＣの出射面Ａは、導光板ＬＧの側面（入射面）ＬＧＣと対向している。表示パネルＰＮＬは、導光板ＬＧの主面（出射面）ＬＧＡと対向している。シート部材ＳＨは、導光板ＬＧと表示パネルＰＮＬとの間に配置されている。
【００８３】
光源素子ＰＣは、上記の構成例と同様に、第１発光素子Ｌ１及び第２発光素子Ｌ２を備えている。第１発光素子Ｌ１及び第２発光素子Ｌ２から発光された光は、ともに光源素子ＰＣの出射面Ａから発光される。但し、光源素子ＰＣは、上記実施形態とは異なり、第１波長変換材料及び第２波長変換材料を備えていない。第１波長変換材料ＥＭ１及び第２波長変換材料ＥＭ２は、シート部材ＳＨに封入されている。
【００８４】
第１発光素子Ｌ１から発光された第１波長帯の光は、光源素子ＰＣの出射面Ａから発光され、導光板ＬＧを透過した後に、シート部材ＳＨに到達し、第１波長変換材料ＥＭ１を励起する。これにより、第１発光素子Ｌ１が発光した際に少なくとも第３波長帯の光を含む第１色（例えばシアン色）の光がシート部材ＳＨから発光される。第２発光素子Ｌ２から発光された第２波長帯の光は、光源素子ＰＣの出射面Ａから発光され、導光板ＬＧを透過した後に、シート部材ＳＨに到達し、第２波長変換材料ＥＭ２を励起する。これにより、第２発光素子Ｌ２が発光した際に少なくとも第４波長帯の光を含む第２色（例えばマゼンタ色）の光がシート部材ＳＨから発光される。これらの第１色の光及び第２色の光は、同一の発光面から発光される。図示した例では、この発光面は、シート部材ＳＨの表示パネルＰＮＬと対向する主面ＳＨＡに形成される。
【００８５】
このような構成例においても、上記した構成例と同様の効果が得られる。なお、ここで説明したシート部材ＳＨは、図１に示した光学シートＯＳのいずれかと置換しても良い。つまり、第１波長変換材料ＥＭ１及び第２波長変換材料ＥＭ２は、光学シートＯＳのいずれかに封入されても良い。この場合、部品点数を削減でき、しかも、表示装置ＬＣＤの厚みの増大を抑制することができる。
【００８６】
図１６は、本実施形態に係る他の構成例を示す図である。図１６に示す構成例は、図１５に示した構成例と比較すると、シート部材ＳＨの位置が異なっている。シート部材ＳＨは、図１５に示した構成例と同様に、第１波長変換材料ＥＭ１及び第２波長変換材料ＥＭ２を含んでいる。図示した例では、シート部材ＳＨは、光源素子ＰＣ及び導光板ＬＧの間に配置されている。
【００８７】
このような構成例においても、上記した構成例と同様の効果が得られる。しかも、図１５に示した構成例と比較して、シート部材ＳＨのサイズを小型化することができる。
【００８８】
以上説明したように、本実施形態によれば、消費電力を低減し、表示品位の低下を抑制することが可能な表示装置及び光源装置を提供することができる。
【００８９】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００９０】
本明細書にて開示した構成から得られる光源装置及び表示装置の一例を以下に付記する。  
（１）第１波長帯の光を発光する第１発光素子と、第２波長帯の光を発光する第２発光素子と、を有する光源素子と、  
前記第１発光素子からの光で励起され第３波長帯の光を発光する第１波長変換材料と、  
前記第２発光素子からの光で励起され第４波長帯の光を発光する第２波長変換材料と、  を備え、  
前記第１発光素子が発光した際に生成されるシアン色の光と、前記第２発光素子が発光した際に生成されるマゼンタ色の光とを同一の発光面から発光する光源装置である。  
（２）前記第１波長変換材料及び前記第２波長変換材料は、前記光源素子に封入され、  
前記発光面は、前記光源素子の出射面に形成される（１）に記載の光源装置である。  
（３）前記第１波長変換材料及び前記第２波長変換材料を封入したシート部材を備え、  
前記発光面は、前記シート部材の主面に形成される（１）に記載の光源装置である。  
（４）前記第１波長変換材料及び前記第２波長変換材料は、蛍光体、又は、量子ドットで形成される（１）に記載の光源装置である。  
（５）前記第１発光素子及び前記第２発光素子が同時に発光した際に生成される白色の光は、前記発光面から発光する（１）に記載の光源装置である。  
（６）前記光源素子は、前記第１発光素子及び前記第２発光素子のそれぞれのアノード及びカソードに電気的に接続された４本の端子を有する（１）に記載の光源装置である。  
（７）前記光源素子は、前記第１発光素子及び前記第２発光素子を電気的に接続する１本の共通端子と、前記第１発光素子及び前記第２発光素子のそれぞれのアノードまたはカソードに電気的に接続された２本の端子を有する（１）に記載の光源装置である。  
（８）前記第２波長帯は、前記第１波長帯とは異なる請求項１に記載の光源装置である。
（９）表示パネルと、  
第１波長帯の光を発光する第１発光素子と、第２波長帯の光を発光する第２発光素子と、を有する光源素子と、  
前記光源素子と対向する入射面、及び、前記表示パネルと対向する出射面を有する導光板と、  
前記第１発光素子からの光で励起され第３波長帯の光を発光する第１波長変換材料と、  
前記第２光学素子からの光で励起され第４波長帯の光を発光する第２波長変換材料と、  を備え、  
前記第１発光素子が発光した際に生成されるシアン色の光と、前記第２発光素子が発光した際に生成されるマゼンタ色の光とを同一の発光面から発光し、前記発光面から発光した光で前記表示パネルを照明する表示装置である。  
（１０）前記第１波長変換材料及び前記第２波長変換材料は、前記光源素子に封入され、  
前記発光面は、前記光源素子の出射面に形成される（９）に記載の表示装置である。  
（１１）前記第１波長変換材料及び前記第２波長変換材料を封入したシート部材を備え、  
前記発光面は、前記シート部材の主面に形成される（９）に記載の表示装置である。  
（１２）前記シート部材は、前記表示パネル及び前記導光板の間に配置される（１１）に記載の表示装置である。  
（１３）前記シート部材は、前記光源素子及び前記導光板の間に配置される（１１）に記載の表示装置である。  
（１４）前記表示パネルは、さらに、黄色のカラーフィルタを備えた第１サブ画素と、  
青色のカラーフィルタを備えた第２サブ画素と、を備える（９）に記載の表示装置である。  
（１５）第１波長帯の光を発光する第１発光素子と、第２波長帯の光を発光する第２発光素子と、を有する光源素子と、  
前記第１発光素子からの光で励起され第３波長帯の光を発光する第１波長変換材料と、  
前記第２発光素子からの光で励起され第４波長帯の光を発光する第２波長変換材料と、  を備え、  
前記第１発光素子が発光した際に生成される少なくとも前記第３波長帯の光を含む第１色の光と、前記第２発光素子が発光した際に生成される少なくとも前記第４波長帯の光を含む第２色の光とを同一の発光面から発光する光源装置である。  
【符号の説明】
【００９１】
Ｌ１…第１発光ダイオード（第１発光素子）
Ｌ２…第２発光ダイオード（第２発光素子）
ＥＭ１…第１蛍光体（第１波長変換材料）
ＥＭ２…第２蛍光体（第２波長変換材料）
ＬＵ…光源装置  Ｔ１、Ｔ２、Ｔ３、Ｔ４、Ｔ５…端子
ＰＣ…パッケージ（光源素子）  ＬＧ…導光板  ＰＮＬ…表示パネル
ＳＨ…蛍光体シート（シート部材）  ＣＦＢ、ＣＦＹ…カラーフィルタ
ＰＸ…サブ画素
【図１】
2017073412.tif 000003
【図２】
2017073412.tif 000004
【図３】
2017073412.tif 000005
【図４】
2017073412.tif 000006
【図５】
2017073412.tif 000007
【図６】
2017073412.tif 000008
【図７】
2017073412.tif 000009
【図８】
2017073412.tif 000010
【図９】
2017073412.tif 000011
【図１０】
2017073412.tif 000012
【図１１】
2017073412.tif 000013
【図１２】
2017073412.tif 000014
【図１３】
2017073412.tif 000015
【図１４】
2017073412.tif 000016
【図１５】
2017073412.tif 000017
【図１６】
2017073412.tif 000018